(57)【特許請求の範囲】
【請求項１】
抄紙工程水に添加される製紙用薬剤の効果を監視する方法において、
抄紙工程水もしくはその希釈水を被測定流体として、該被測定流体に、所定の周波数（以下「変調周波数」と称す。）に振幅変調（ＡＭ）したレーザ光を照射する第一工程と、
該被測定流体中の粒子により散乱された散乱光を光電変換回路で受光して散乱光強度データを得る第二工程と、
該散乱光強度データに基づき前記被測定流体の濁度情報を求める第三工程と
を含み、
該光電変換回路は、フォトデテクター、バンドパスフィルタ及び増幅器とからなり、フォトデテクターによって散乱光の光信号を電気信号に変換し、バンドパスフィルタで自然光と区別するために電気信号から前記変調周波数成分の信号を取り出し、増幅器において増幅した後、検波回路にてＡＭ検波を行ってその検波後の信号を最低値検出回路に出力し、最低値検出回路は、入力する該ＡＭ検波後の信号から最低値の信号強度を検出して前記散乱光強度データを得る製紙用薬剤の効果監視方法であって、
前記抄紙工程水として、ワイヤによって濾過される前の抄紙工程水を使用して、前記第一〜第三工程を経て得た濁度情報と、
前記抄紙工程水として、前記薬剤が添加され、かつワイヤによって濾過された後の抄紙工程水を使用して、前記第一〜第三工程を経て得た濁度情報と
を比較することにより、ワイヤによる濾過前後の比較データを得る第四工程とを有する製紙用薬剤の効果監視方法。
【請求項２】
抄紙工程水への製紙用薬剤の注入量を制御する方法において、
抄紙工程水もしくはその希釈水を被測定流体として、該被測定流体に、所定の周波数（以下「変調周波数」と称す。）に振幅変調（ＡＭ）したレーザ光を照射する第一工程と、
該被測定流体中の粒子により散乱された散乱光を光電変換回路で受光して散乱光強度データを得る第二工程と、
該散乱光強度データに基づき前記被測定流体の濁度情報を求める第三工程と
を含み、
該光電変換回路は、フォトデテクター、バンドパスフィルタ及び増幅器とからなり、フォトデテクターによって散乱光の光信号を電気信号に変換し、バンドパスフィルタで自然光と区別するために電気信号から前記変調周波数成分の信号を取り出し、増幅器において増幅した後、検波回路にてＡＭ検波を行ってその検波後の信号を最低値検出回路に出力し、最低値検出回路は、入力する該ＡＭ検波後の信号から最低値の信号強度を検出して前記散乱光強度データを得る製紙用薬剤の注入量制御方法であって、
前記抄紙工程水として、ワイヤによって濾過される前の抄紙工程水を使用して、前記第一〜第三工程を経て得た濁度情報と、
前記抄紙工程水として、前記薬剤が添加され、かつワイヤによって濾過された後の抄紙工程水を使用して、前記第一〜第三工程を経て得た濁度情報と
を比較することにより、ワイヤによる濾過前後の比較データを得る第四工程と、
前記比較データに基づき前記製紙用薬剤の注入量を制御する第五工程と
を有する製紙用薬剤の注入量制御方法。
【発明の詳細な説明】
【技術分野】
【０００１】
本発明は製紙用薬剤の効果監視、注入量制御方法に係る。特に、抄紙工程において、原料スラリーやインレットスラリーに添加される製紙用薬剤の効果を迅速かつ確実に確認する方法と、その監視結果に基づき製紙用薬剤の注入量を的確に制御する方法に関する。
【背景技術】
【０００２】
紙の原料には、ＬＢＫＰ、ＮＢＫＰ、ＴＭＰなどの他、近年は古紙の利用率の向上、ブロークパルプの配合率向上、系のクローズド化が進み、古紙、ＤＩＰ、コートブロークなども多用されてきている。これらの原料にはアニオン性不純物、いわゆるアニオントラッシュが多く、アニオントラッシュによるピッチ、欠陥の発生だけでなく、断紙、生産スピードダウンといった生産性の低下を招いている。
【０００３】
また、多くの工場では、生産性向上のため、特に白水からのＳＳ回収に力を入れている。抄紙系内を循環する白水は、一般的に数百から２〜３千ｍｇ／Ｌの繊維質のＳＳを含有しているため、白水に含まれるパルプ繊維成分をできるだけ回収し、再度原料として使用する傾向が一段と強くなってきている。しかしながら、回収原料の割合が増加するに従って、パルプ繊維の平均長さは短くなるため、紙の強度の確保が課題となっている。
【０００４】
以上述べたように、紙の品質確保、生産効率の向上の面から、抄造時、特にインレットスラリーに添加される薬剤については、紙品質を低下させずに歩留まり性能や濾過水性能を高める等の要求が極めて高いのが現状である。
【０００５】
これらの問題に対して、一般的には、高カチオン密度の合成ポリマーや、分子量の高い合成ポリマーが適用されているが、新しい提案としては、カチオン性スターチ及びコロイドシリカを添加する方法（ＵＳＰ４３８８１５０）、コロイドシリカを添加した後カチオン性の合成ポリマーを添加する方法、合成カチオン性ポリマーを加えた後次のステップでベントナイトを添加する方法（ＥＰ２３５８９３、特開昭６２−１９１５９８）、分子量の低いカチオン性ポリマーを添加し、次いでアニオン性ポリマーを添加する方法（特公平５−２９７１９）等に開示されるような様々な薬剤添加による対策が講じられている。
【０００６】
また、従来、これらの薬剤の効果を確認する方法としては、
(1)  出来上がった紙の欠陥や品質レベルの評価
(2)  生産スピードの管理
(3)  インレットスラリー及びワイヤ下白水の濃度測定による歩留り率の確認
等が行われている。
【０００７】
しかし、上記従来の薬剤の添加効果の確認方法では、各々、次のような課題があった。
（１）出来上がった紙の欠陥や品質レベルの評価
凝結剤、歩留向上剤、濾水性向上剤等の薬剤効果の影響を直接的に確認できるものの、すでに紙が出来上がった後での管理であり、トラブル解決への対応が著しく遅れるという課題がある。
（２）生産スピードの管理
歩留向上剤、濾水性向上剤等の薬剤効果を反映するものであるが、それ以外にも生産スピードに影響する因子があり、生産スピードの管理だけではトラブル対応はできないという課題がある。
（３）インレットスラリー及びワイヤ下白水の濃度測定による歩留り率の確認
歩留率を直接計測するものであり、直接的な薬剤効果の確認方法であるが、次のような問題がある。
(i)  手分析で行う場合は、時間的な遅れにより、すでに紙が出来上がった後の管理になってしまい、トラブルへの対応が著しく遅れる。
(ii)  濁度計、ＳＳ計による管理では、通常の計測機器は透過光を利用した形式が一般的で、ＳＳ濃度の変動に弱いこと、パルプ繊維の形状などによる影響も受けやすく、計測の安定性に劣る。
【０００８】
上記の課題に対し、本願出願人は、特願２００５−３７０１４３にて、レーザ光散乱方式のセンサにより、抄紙工程の薬剤効果を監視、及び薬注制御する方法を提案した。これにより、高精度に薬剤効果の監視ができ、紙製品の異常や製造時のトラブル発生を防止することができるが、場合によっては、計測対象の抄紙工程水、特にインレットスラリーの水質が変化し、センサ計測による絶対値だけでは完全な監視及び制御が難しいケースがあるため、その改善策の必要があった。
【０００９】
なお、抄紙工程水の水質変動の理由は次の通りである。
即ち、紙の原料には、前述の如く、ＬＢＫＰ、ＮＢＫＰ、ＴＭＰなどの他、近年は古紙の利用率の向上、ブロークパルプの配合率向上、系のクローズド化が進み、古紙、ＤＩＰ、コートブロークなどの回収原料も多用されてきている。特に、ＤＩＰでは、雑誌、新聞紙、板紙、上質古紙、中質古紙など雑多で、パルプ繊維長さ、填料（灰分）の量、灰分の種類（炭酸カルシウム、シリカ、ケイ酸カルシウム等）は常に変動するため、細かく原料の品質を調整することはできない。また、脱墨の程度で色合いも変化する。また、製造する紙の種類、ロットによって、これら原料の配合比率が異なり、多品種の紙を製造するマシンでは、頻繁に原料の質、量が変わるのが実態である。また、パルプにはＬＢＫＰ、ＮＢＫＰ等があり、化学成分が異なる。よって、インレットスラリーはこれら原料由来の変動を直接受けるため、インレットスラリーの品質、性状や濃度も変動する。従って、薬剤の効果を評価する場合には、インレットスラリーだけの計測や白水だけの計測では、薬剤効果の評価は容易ではないのが実情である。
【特許文献１】ＵＳＰ４３８８１５０
【特許文献２】ＥＰ２３５８９３
【特許文献３】特開昭６２−１９１５９８
【特許文献４】特公平５−２９７１９
【特許文献５】特願２００５−３７０１４３
【発明の開示】
【発明が解決しようとする課題】
【００１０】
本発明は上記従来の課題を解決し、抄紙工程において原料スラリーやインレットスラリー等の抄紙工程水に添加される歩留向上剤、濾水性向上剤、凝結剤、ピッチコントロール剤等の製紙用薬剤の効果を迅速かつ確実に確認することができる製紙用薬剤の効果監視方法と、このような監視結果に基づいて製紙用薬剤の注入量を的確に制御する製紙用薬剤の注入量制御方法を提供することを目的とする。
【課題を解決するための手段】
【００１１】
本発明の製紙用薬剤の効果監視方法は、抄紙工程水に添加される製紙用薬剤の効果を監視する方法において、抄紙工程水もしくはその希釈水を被測定流体として、該被測定流体に、所定の周波数（以下「変調周波数」と称す。）に振幅変調（ＡＭ）したレーザ光を照射する第一工程と、該被測定流体中の粒子により散乱された散乱光を光電変換回路で受光して散乱光強度データを得る第二工程と、該散乱光強度データに基づき前記被測定流体の濁度情報を求める第三工程とを含み、該光電変換回路は、フォトデテクター、バンドパスフィルタ及び増幅器とからなり、フォトデテクターによって散乱光の光信号を電気信号に変換し、バンドパスフィルタで自然光と区別するために電気信号から前記変調周波数成分の信号を取り出し、増幅器において増幅した後、検波回路にてＡＭ検波を行ってその検波後の信号を最低値検出回路に出力し、最低値検出回路は、入力する該ＡＭ検波後の信号から最低値の信号強度を検出して前記散乱光強度データを得る製紙用薬剤の効果監視方法であって、前記抄紙工程水として、ワイヤによって濾過される前の抄紙工程水を使用して、前記第一〜第三工程を経て得た濁度情報と、前記抄紙工程水として、前記薬剤が添加され、かつワイヤによって濾過された後の抄紙工程水を使用して、前記第一〜第三工程を経て得た濁度情報とを比較することにより、ワイヤによる濾過前後の比較データを得る第四工程とを有する。
【００１２】
本発明の製紙用薬剤の注入量制御方法は、抄紙工程水への製紙用薬剤の注入量を制御する方法において、抄紙工程水もしくはその希釈水を被測定流体として、該被測定流体に、所定の周波数（以下「変調周波数」と称す。）に振幅変調（ＡＭ）したレーザ光を照射する第一工程と、該被測定流体中の粒子により散乱された散乱光を光電変換回路で受光して散乱光強度データを得る第二工程と、該散乱光強度データに基づき前記被測定流体の濁度情報を求める第三工程とを含み、該光電変換回路は、フォトデテクター、バンドパスフィルタ及び増幅器とからなり、フォトデテクターによって散乱光の光信号を電気信号に変換し、バンドパスフィルタで自然光と区別するために電気信号から前記変調周波数成分の信号を取り出し、増幅器において増幅した後、検波回路にてＡＭ検波を行ってその検波後の信号を最低値検出回路に出力し、最低値検出回路は、入力する該ＡＭ検波後の信号から最低値の信号強度を検出して前記散乱光強度データを得る製紙用薬剤の注入量制御方法であって、前記抄紙工程水として、ワイヤによって濾過される前の抄紙工程水を使用して、前記第一〜第三工程を経て得た濁度情報と、前記抄紙工程水として、前記薬剤が添加され、かつワイヤによって濾過された後の抄紙工程水を使用して、前記第一〜第三工程を経て得た濁度情報とを比較することにより、ワイヤによる濾過前後の比較データを得る第四工程と、前記比較データに基づき前記製紙用薬剤の注入量を制御する第五工程とを有することを特徴とする。
【発明の効果】
【００１３】
本発明によれば、抄紙工程において原料スラリーやインレットスラリー等の抄紙工程水に添加される歩留向上剤、濾水性向上剤、凝結剤、ピッチコントロール剤等の製紙用薬剤の効果を迅速かつ確実に確認することができ、この監視結果に基づいて製紙用薬剤の注入量を的確に制御することができる。
【００１４】
即ち、被測定流体にレーザ光を照射したときに、被測定流体中の粒子やパルプ繊維により散乱された散乱光の強度データの最低値は、粒子やパルプ繊維間の間隙を示す濁度情報を与えるため、この原理を利用することにより、原料スラリーやインレットスラリーなどに添加された製紙用薬剤の効果をモニタリングすることができ、さらには、このデータを使って、製紙用薬剤の薬注制御を的確に行うことが可能となる。
【００１５】
しかも、本発明では、ワイヤによって濾過される前の抄紙工程水と、薬剤が添加され、ワイヤによって濾過された後の抄紙工程水についてそれぞれ散乱光強度データを計測し、その差を検知するため、抄紙工程水の水質が変動しても安定した結果を得ることができる。
【００１６】
即ち、前述の如く、インレットスラリー等の抄紙工程水の性状は変動し易いため、特定の抄紙工程水のみについて計測したセンサ計測絶対値だけでは、処理の良し悪しが判断できず、管理が困難になる場合がある。本発明によれば、ワイヤによって濾過される前の抄紙工程水と、薬剤が添加され、ワイヤによって濾過された後の抄紙工程水との両方の抄紙工程水について散乱光強度データを計測し、これらを相対的に管理することにより、安定した監視及び薬注制御を行うことができる。
【発明を実施するための最良の形態】
【００１７】
以下に本発明の実施の形態を詳細に説明する。
【００１８】
［抄紙工程水に添加される製紙用薬剤の効果の監視］
本発明に従って、抄紙工程水に添加される製紙用薬剤の効果を監視するには、抄紙工程水もしくはその希釈水を被測定流体として、該被測定流体にレーザ光を照射し、該被測定流体中の粒子により散乱された散乱光を受光して散乱光強度データを得、この散乱光強度データに基づき被測定流体中の粒子の粒径及び／又は濁度の変化をとらえる。
【００１９】
１）  製紙用薬剤の効果監視装置
まず、図１〜４に基づいて、本発明に好適な製紙用薬剤の効果監視装置について説明する。
【００２０】
図１は、本発明の好適例に係る製紙用薬剤の効果監視装置の概略構成を示す構成図であり、図２は、図１に示すレーザ光照射部と散乱光受光部の構成を示す拡大図である。なお、以下においては、抄紙工程水としてインレットスラリーの計測を行う場合を示すが、後述の如く、本発明における被測定流体は好ましくはインレットスラリーと白水である。
【００２１】
この製紙用薬剤の効果監視装置は、レーザ発振器１、第１の光ファイバ２、レーザ光照射部３、散乱光受光部４、第２の光ファイバ５、光電変換回路６、検波回路７、最低値検出回路８から構成される。２０は、インレットスラリー２１が貯えられる計測槽であり、計測槽２０内のインレットスラリー２１中には、遮蔽部材２２（以下「センサプローブ」と称す場合がある。）の底部に配設されたレーザ光照射部３と散乱光受光部４が投入されている。この遮蔽部材２２は上方からの自然光がレーザ光照射部３と散乱光受光部４間の測定領域２３に到るのを遮蔽している。
【００２２】
即ち、遮蔽部材２２は図３に示す通り、底面が下方に突出し、突出した両側面に溝部２４が形成された五角柱であり、この溝部２４に、第１の光ファイバ２と第２の光ファイバ５とが固定され、第１の光ファイバ２の一端であるレーザ光照射部３と第２の光ファイバ５の一端である散乱光受光部４が、図２中、左右対称（線対称）に配設されている。さらに第１の光ファイバ２のレーザ光照射部３と第２の光ファイバ５の散乱光受光部４の中心線は互いに９０度で交差していることが好ましい。
【００２３】
また、一般にレーザ発振器１から発振されるレーザ光の強度は、自然光と区別するために変調することが好ましく、光電変換回路６で受光した散乱光強度を元の電気信号に戻すためには、７０〜１５０ｋＨｚ程度の変調が好ましい。そこで、本実施形態の構成において、レーザ発振器１はファンクションゼネレータ１１とレーザダイオード１２とからなり、ファンクションゼネレータ１１から発生する所定周波数、例えば９５ｋＨｚの電気信号で振幅変調（ＡＭ）したレーザ光をレーザダイオード１２から第１の光ファイバ２の一端に出射している。このレーザ光は第１の光ファイバ２を介してレーザ光照射部３となっている光ファイバ２の他の一端からインレットスラリー中に出射している。なお、レーザ発振器は、ファンクションゼネレータとレーザダイオードに限定されるものではなく、例えば発光ダイオード等を用いることも可能である。
【００２４】
インレットスラリー中には、アニオントラッシュ成分の粒子が存在しており、レーザ光照射部３からアニオントラッシュ成分の粒子に照射されたレーザ光は散乱して散乱光となり、散乱光受光部４となっている第２の光ファイバ５の一端から光ファイバ５に入射している。本実施形態において、測定領域２３は、レーザ光照射部３から出射されるレーザ光が照射する領域と、散乱光受光部４が散乱光を受光できる領域との重なり合った領域となっており、散乱光受光部４は測定領域２３から９０度（第２の光ファイバ５の中心線）方向に散乱した散乱光を受光している。
【００２５】
なお、遮蔽部材２２におけるレーザ光照射部の構成は、図２に示すものに何ら限定されず、図４に示す如く、遮蔽部材２２の測定領域２３近傍にレーザーダイオード１２を設けて電流ケーブル１２Ａを引き、遮蔽部材２２の測定領域近傍で直接レーザ光を発光させるものであっても良く、この場合には、レーザ光照射部まで光ファイバを使用しないことにより、光ファイバの破損等を防止することができる。図４において、レーザ照射部以外の構成は図２に示すものと同様であり、同一機能を奏する部材には同一符号を付してある。
【００２６】
光電変換回路６は、フォトデテクター６１、バンドパスフィルタ６２及び増幅器６３とからなり、第２の光ファイバ５の他の一端に接続されたフォトデテクター６１によって散乱光の光信号を電気信号に変換し、バンドパスフィルタ６２で自然光と区別するために電気信号から変調周波数成分の信号を取り出し、増幅器６３において増幅して検波回路７に出力する。なお、光電変換回路６は、光信号を電気信号に変換するものであれば上記構成のものに限らず、例えばフォトデテクターの代わりにフォトダイオードを用いても良いし、バンドパスフィルタの代わりに低域フィルタを用いても良い。
【００２７】
変調周波数成分の信号は、散乱光強度の変化を測定するために、検波回路７にてＡＭ検波を行ってその検波後の信号を最低値検出回路８に出力する。なお、検波回路７によって出力された信号は、低域フィルタを通過する信号と同等の信号処理が施されることとなる。従って、バンドパスフィルタ６２のカットオフ周波数を適当に選択することによって、検波回路７はこのカットオフ周波数の変動を取り除いた直流分の出力波形の信号として検出し、最低値検出回路８に出力することができる。このように本実施形態では、フォトデテクター６１で検出された光信号のうち、バンドパスフィルタ６２で変調周波数成分を取り出し増幅器６３で増幅した後、ＡＭ検波を行うことで、アニオントラッシュ成分の微小粒子の散乱に伴う光強度の変化を信号強度の変化として測定できる。ただし、ＡＭ検波は必ずしも必要とされず、変調周波数成分の信号を直接最低値検出回路８に出力しても良い。
【００２８】
最低値検出回路８は、入力する直流分の信号から最低値の信号強度を検出している。この最低値の検出とは、図１に示した増幅器６３から出力される信号波形で説明すると、波形のくびれ部分を測定することである。くびれ部分以外の部分は、粗大な紙原料及び微小なアニオントラッシュ成分粒子が測定領域２３に存在している時であり、くびれ部分は、紙原料が、測定領域から出ていった時である。従って、最低値検出回路８が信号強度の最低値を検出することにより、アニオントラッシュ成分の微小粒子のみが存在する時の散乱光強度、即ちアニオントラッシュ成分の微小粒子の粒径を測定することが可能となる。そして、この最低値の減少は、測定領域でのアニオントラッシュ成分の微小粒子の粒径が小さくなったことを表し、また最低値の増大は、アニオントラッシュ成分の微小粒子の粒径が大きくなったことを表す。
【００２９】
具体的に、薬剤効果の測定原理は以下のようなものである。即ち、計測槽２０内のインレットスラリー２１の攪拌に伴って測定領域２３にコロイド状の微小なアニオントラッシュ成分粒子（以下「微小コロイド粒子」と称す。）が流入出するときに散乱光の変動が生じることとなる。この変動の周期は、測定領域を粒子と見なして、微小コロイド粒子との間に生じる衝突回数を想定することにより概算することができる。即ち、測定領域２３を直径Ｒの球体、微小コロイド粒子を直径ｒの球体でそれぞれ近似すると、この場合の衝突断面積Ｑ０は、Ｑ０＝π（Ｒ＋ｒ）２で与えられる。また、微小コロイド粒子密度をＮ、測定領域に対する粒子の相対速度をｖとすると、単位時間当たりに微小コロイドが測定領域に流入する回数νは、ν＝ＮＱ０ｖとなる。同じく、微小コロイド粒子が測定領域から出て行く時にも同様の変動が生じるので、散乱光強度を微分した値の周期は、この回数の２倍の値となる。そして、散乱光強度は微小コロイド粒子の粒径のｎ乗に比例すると仮定し、多重散乱を無視すると、微小コロイド粒子１個の流出入に伴う散乱光強度の変動Ａは、Ａ＝Ａ０ｒｎとなる。なお、Ａ０は測定系に依存する定数であり、標準試料を用いて校正される。
【００３０】
ここで、微小コロイド粒子は、直径ｒが小さく粒子密度Ｎが大きいので、散乱光の微小な変動が短い周期で生じることとなる。そこで、検波回路７で変調周波数成分の検波を行うことにより、上述したごとく出力波形は低域フィルタを通過するのと等価な信号処理が施されるので、フィルタ６２のカットオフ周波数を適当に選ぶことにより、この変動を取り除いた直流分の信号として検出することができる。
【００３１】
一方、インレット中の紙原料では、測定領域に流出入する際の変動が大きく、かつこの変動の平均周期は長くなる。従って紙原料の密度と測定領域体積との積が１より小さい時には、検波後の出力波形の最低値が微小コロイド粒子の散乱に対応していることになる。これにより本実施形態では、検波回路７の後段に最低値検出回路８を接続させることによって、インレットスラリー中の微小コロイド粒子、即ちアニオントラッシュ成分による散乱光と紙原料による散乱光とを区別し、アニオントラッシュ成分による散乱光のみを取り出すことが可能となるので、薬剤によるアニオントラッシュ成分の低減効果が適切に把握できる。
【００３２】
また、本実施形態の監視装置では、特別な測定部を別途設ける必要がなく、遮蔽部材に取り付けたレーザ光照射部と散乱光受光部を計測槽に投入するのみで散乱光を測定することができるので、簡易な装置構成の監視装置を提供することができる。さらに、本実施形態の監視装置は、装置構成が簡易で軽量、小型化が図られるため、投げ込み式の監視装置にすることも可能である。
【００３３】
なお、本発明においては、このような装置を１台用意し、電磁弁等で自動的に計測対象液をインレットスラリーと白水とで切り替えができるような構造・機構を取り入れてもよく、手動のバルブで切り替える構造でもよい。また、このような装置を２台用意し、インレットスラリーと白水とを別々に計測してもよい。
【００３４】
２）受光された散乱光から変換された電気信号の最低値
図１の装置において、測定領域２３にて生じる散乱光について考察すると、この測定領域２３に存在する微小コロイド粒子は薬剤の添加で微少フロック化し、フロック化とともに散乱光強度は大きくなる。
【００３５】
従って、前述した構造のセンサプローブ（図２に示す遮蔽部材２２）を用いて微小測定領域２３における散乱光の強度を計測すると、図５(ａ)〜(ｃ)にその概念を示すように、凝集が進んで微小コロイド粒子数が減少し、フロックの数が徐々に増加しても、フロックの数は懸濁物質（微小コロイド）の減少に比べ遥かに少ないので、プローブで検出される微小測定領域２３の散乱光の平均強度は低下する。このため、プローブで検出されるフロックの凝集状態は、希に微小測定領域２３に入り込むフロックで上記散乱光の強度が一時的に強くなったときを除いて、平均的な散乱光の強度は未凝集の懸濁物質（微小コロイド）の粒子数、すなわち濁度を示しているとみなし得る。なお、図５（ａ）〜（ｃ）の横軸は時間軸であり、ｔは時間を示す。
【００３６】
前述した最低値検出回路８は、上記観点に立脚し、散乱光の強度に応じた光電変換回路６の出力から得られる振幅変調周波数成分の信号の包絡線成分から最低値を検出することで、インレットスラリー中の未凝集の微小コロイドの粒子数（濁度）を検知することを可能とする。
【００３７】
３）抄紙工程水
本発明において、測定対象となる抄紙工程水は、ワイヤによって濾過される前の抄紙工程水（この抄紙工程水については、薬剤が添加されたものと、薬剤添加前のものとがある。）、即ち下記のインレットスラリーと、ワイヤによって濾過された後の抄紙工程水（この抄紙工程水は既に薬剤が添加されている。）、即ち、下記の白水である。
【００３８】
〈インレットスラリー〉
インレットスラリーとは、種箱からの原料を白水で濃度調整した通常のスラリーをさす。計測対象は薬剤添加前のインレットスラリー又は薬剤添加後のインレットスラリーであるが、どちらか一方のみを計測してもよく、またはそれぞれ交互に測定してもよい。好ましくは薬剤添加後のインレットスラリーである。
【００３９】
〈白水〉
白水としては、計測対象のマシン周りの白水がよいが、より好ましくは、マシンのワイヤ下白水である。
【００４０】
本発明のように、常にインレットスラリーと白水の両方を被測定流体として散乱光強度を計測し、その差（相対値）から、薬剤の効果を適確に監視、評価し、この結果に基いて極めて精度の良い薬注制御を行える。
【００４１】
４）被測定流体
本発明では、上記３）記載のインレットスラリーと白水を被計測流体とし、インレットスラリーと白水の両方について計測を行い、その計測値を比較することにより、薬剤の効果判断を行う。なお、この場合、必要に応じてインレットスラリー、白水を、６）の希釈用水で希釈して計測してもよい。
【００４２】
５）製紙用薬剤
インレットスラリーに添加する製紙用薬剤として、歩留向上剤、濾水性向上剤が挙げられ、一般的にはカチオン系ポリマー、或いは一剤目にアニオン系ポリマー又はコロイダルシリカを、二剤目にカチオン系ポリマーを添加する二剤法、一剤目にカチオン系ポリマー、二剤目にアニオン系ポリマーを添加する二剤法、両性ポリマーを用いる方法など、任意の薬注方法を適用することができる。これらの薬剤の添加量は対象とするインレットスラリーの性状に応じて適宜決定される。
歩留向上剤や濾水性向上剤と共に、凝結剤、ピッチコントロール剤、紙力剤、サイズ剤等を併用することもできる。
【００４３】
６）希釈用水及び計測濃度
測定にあたっては、インレットスラリー及び白水は原液のままでも良く、必要に応じて水で希釈して測定に供しても良い。即ち、懸濁物質濃度が高い場合にはアニオントラッシュ成分やパルプ繊維により散乱光強度データの計測が妨害を受ける場合があるため、計測対象のインレットスラリーや白水は必要に応じて希釈する。希釈倍率については特に制限はなく、任意に決定することができるが、測定に供する被測定流体の固形分濃度としては、一般的には５００〜６００００ｍｇ／Ｌの範囲であることが好ましいことから、このような濃度となるように希釈を行うことが好ましい。
【００４４】
希釈用水としては特に制限はなく、水道水、工業用水、中水、白水の加圧浮上又は凝集沈殿処理水などを用いることができる。
【００４５】
７）流速
測定時の被測定流体は、濁度成分の沈降を防止して均一分散液状とするために、流動状態とし、必要に応じて攪拌を行ってもよい。この被測定流体の流速としては特に制限はなく、測定に供する被測定流体の濃度によっても異なるが、測定値の安定性の面から、０．２〜５．０ｍ／ｓ、特に０．５〜３．０ｍ／ｓの範囲であることが好ましい。
【００４６】
８）測定部のサイズ
測定部の大きさは、レーザー光発光面から壁面までの距離（図１において、レーザ光照射部３の先端と計測槽２０の内壁面との距離）が１ｃｍ以上離れていることが好ましい。この距離が１ｃｍよりも近いと、壁面でのレーザー光の反射が測定値に影響を及ぼす可能性があるため好ましくない。
【００４７】
９）被測定流体の採取箇所
本発明においては、紙パルププロセスの所定の箇所からインレットスラリー及び白水を抜き出し、図１に示すような装置で測定を行っても良く、図２又は図４に示す遮蔽部材２２を、紙パルププロセスの所定の箇所に直接投入して測定を行っても良い。紙パルププロセスからインレットスラリー及び白水を抜き出して測定を行う場合、図１に示す装置には更に必要に応じて希釈槽を設けることが好ましい。
【００４８】
１０）計測時間、計測頻度（計測間隔）
レーザ発光時間、散乱光の受光時間、間隔、計測値を平均する時間、計測頻度は任意に決めることができる。計測対象の抄紙工程水の性状が頻繁に変化する場合は、測定頻度を上げ、ほぼ連続で計測する必要があるが、変動が少ない場合は、１時間又は数時間に１回程度でも構わない。
【００４９】
測定は連続的に行っても良く、間欠的に行っても良い。間欠的に測定を行う場合の測定頻度は、薬剤効果の推移を確認できれば良く、任意に設定することができ、例えば１〜２時間に１回の測定頻度とすることができる。測定を行っていない場合には、例えば、計測槽に水を流して、後述のレーザー光照射部／受光部の洗浄を行っても良い。
【００５０】
１１）検量線
通常は、散乱光の電気信号の最低値の変化を相対的にとらえて、薬剤効果の変化を検知するが、予め電気信号の最低値が既知のサンプル液を用いて同様の測定を行って、測定値との関係を示す検量線を作成しておき、この検量線に測定値をあてはめて、薬剤の効果判断及び、薬注制御を行うことができる。
【００５１】
１２）計測部の洗浄
測定に用いるレーザ光照射部と散乱光受光部は、汚れの付着による測定精度の低下を防止するために、定期的に洗浄を行うことが好ましい。この照射部／受光部の洗浄は、空気又は水で行うことができる。
【００５２】
圧縮空気での洗浄の場合、被測定対象液であるインレットスラリーや白水中で空気の散気による気液混合状態で行う。洗浄時間には特に制限はないが、計測の安定性の点からレーザ光照射部／受光部各々３〜５秒間が良い。洗浄間隔は特に制限はないが、計測の安定性の点からレーザ光照射部／受光部各々４０〜１２０秒間隔での洗浄が良い。洗浄圧は特に制限はないが、計測の安定性の点から０．０１ＭＰａ以上の圧力が良く、より好ましくは０．０５〜０．５ＭＰａである。
【００５３】
水での洗浄の場合、高圧水でセンサ先端を洗浄するか、計測槽に清水を０．５ｍ／秒以上の流速で通水し、計測槽及びセンサ先端の洗浄を行う。洗浄時間は、高圧水の場合は１回あたり３〜６０秒程度、通水の場合は、１回あたり１３０秒以上がよい。
【００５４】
１３）メンテナンス
前述の本発明の装置は、１ヶ月ないしは１週間に１回の頻度でレーザー光照射部／受光部の清浄度や照射されたレーザー光の輝度確認を行うことが好ましいが、このようなメンテナンス頻度は状況に応じて任意に決定することができる。
【００５５】
１４）製紙用薬剤の薬注制御
本発明の製紙用薬剤の効果監視装置及び方法により得られた薬注効果の情報は、これを出力信号として出力し、この信号に基づいて薬注ポンプやインレットスラリーの送液ポンプの制御を行って、最適な薬注条件を維持することができる。
【００５６】
具体的には、次のような薬注制御を行うことができる。
以下においては、インレットスラリーへの適用例について説明する。
【００５７】
通常のマシン操作にて紙の製造を開始し、薬注量が最適で安定した生産状態にする。この時、歩留向上剤添加後のインレットスラリーのサンプリング配管と、ワイヤ下の白水ピットからの白水のサンプリング配管をそれぞれ分岐して、流路を切り替えられるバルブにつなぎ、それを介してセンサプローブを装着したセンサ計測槽と接続する。つまり、歩留向上剤を添加したインレットスラリーとワイヤ下白水をバルブ切換で交互にセンサ計測できるように配管する。
【００５８】
計測後のインレットスラリー及び白水は、白水ピットに戻すように戻り配管を設置する。センサ計測槽で所定の流速が確保できていることを確認し、濁度情報であるセンサ出力信号の最低値の計測を開始する。例として、２秒に１回２００ｍＳ間欠発光レーザーでの計測を述べる。
【００５９】
濁度情報を使った制御は、インレットスラリーの濁度情報と白水の濁度情報の差を求めて行う。
【００６０】
薬剤を添加したインレットスラリーについて２秒ごとのセンサ出力最低値を５分間計測し、その平均値をインレットスラリーの濁度情報とし、インレットスラリーの計測値とする。同じ操作を５回行い、５点のインレットスラリーの濁度情報の平均をとる。通常、この値は２０００〜４０００ｍＶ程度になる。同じく、ワイヤ下白水について２秒ごとのセンサ出力最低値を５分間計測し、その平均値を白水の濁度情報とし、白水の計測値とする。同じ操作を５回行い、５点の白水の濁度情報の平均をとる。通常、この値は５００〜２０００ｍＶ程度になる。
【００６１】
薬注量が最適で、安定した生産状態での歩留り剤注入のインバータポンプの出力％を現状値とし、センサ計測を開始する。制御方法としては、インレットスラリーの計測値ｍＶ−白水の計測値ｍＶ＝偏差ｍＶとし、例えば「偏差＜１５００」の時はインバータポンプの出力は現状値−１０％、「１５００≦偏差≦２０００」の時は現状値のまま、「２０００＜偏差≦２３００」の時は現状値＋１５％、「２３００＜偏差≦２５００」の時は現状値＋３０％、「２５００＜偏差」の時は現状値＋５０％、とするような一般的なプログラムをあらかじめセンサに組み込んでおき、センサから制御信号をインバータポンプに出力することにより、濁度情報に応じた薬注制御が可能となる。この時の計測頻度、偏差に対するインバータポンプへの出力％は、実際の製造における条件変動に応じて任意に決めることができる。
【実施例】
【００６２】
以下に参考例及び実施例を挙げて本発明をより具体的に説明する。
【００６３】
以下の参考例及び実施例においては、添加薬剤、抄紙工程水として以下のものを用いた。
１）薬剤：カチオン系合成ポリマー
・構造，組成：ジメチルアミノエチルアクリレート塩化メチル四級化物／アクリル
アミド＝２５／７５（モル％）
・固有粘度：１３．５（ｄｌ／ｇ）（溶媒＝１Ｎ  ＮａＣｌ（３０℃））
・使用濃度：０．２ｗｔ％
・添加率：０〜５．６ｍｇ／ｌ（対スラリー）
２）抄紙工程水：インレットから採取したスラリー
・濃度：６８５０ｍｇ／ｌ
・外観：繊維分含有の白色スラリー
【００６４】
（参考例１）
１）濾水試験
以下の手順で濾液量の測定を行った。  
(1)  ５００ｍｌビーカーにインレットスラリーを１８０ｍｌ入れて、薬剤を所定量添加した。
(2)  撹拌機にて５００ｒｐｍで４０秒間攪拌した。
(3)  上記(2)の液を、直ちに６０メッシュナイロン濾布を敷いたヌッチェロートにあけ、１０秒間の濾水量を計測した。
【００６５】
なお、濾液量の計測とは別に、３Ｌビーカーにインレットスラリーを２０００ｍｌ入れ、薬剤を上記濾水試験と同じ添加率で加え、５００ｒｐｍで４０秒間撹拌した。続いて、直径１０ｃｍの６０メッシュナイロン濾布を敷いたヌッチェロートにあけ、１０秒間濾過した濾液を、模擬白水とし、ＳＳ濃度測定、実施例でのセンサによる濁度情報計測を行った。
【００６６】
２）ＳＳ濃度測定
上記の模擬白水（濾液）を試料水とした。
(1)  よく振った各試料水を１００ｍｌづつ取り分けた。
(2)  １０５℃の乾燥機で２時間乾燥させ、重量（Ａｇ）を測定しておいたＮｏ．３ろ紙にて、１００ｍｌづつ取り分けた試料水をよく振って吸引濾過した。
(3)  ろ紙で捕捉したＳＳをろ紙ごと１０５℃の乾燥機に入れ、１昼夜乾燥して、重量（Ｂｇ）を測定した。
(4)  以下の式より、試料水のＳＳ濃度を求めた。
ＳＳ濃度（％）＝（Ｂ−Ａ）×１００／１００
【００６７】
（実施例１）
１）センサによるインレットスラリーの濁度情報の計測
図１に示す装置を用い、以下の手順で散乱光強度の測定を行った。  
(1)  ３０００ｍｌビーカーにインレットスラリーを１８００ｍｌ入れて、薬剤を所定量添加した。
(2)  撹拌機にて５００ｒｐｍで４０秒間攪拌した。
(3)  上記(2)の液にレーザー散乱光のセンサプローブ（図２に示す遮蔽部材２２）を浸漬し、２５０ｒｐｍの攪拌下で、センサによる計測を行った。このとき、攪拌羽根の中心からセンサプローブまでは約５ｃｍとし、流速は約１．３ｍ／ｓであった。計測項目は、散乱光の電気信号の最低値（以下「濁度情報（ｍＶ）」とする。）で、レーザー光を２分間隔で２００ｍ秒発光させ、１２０秒間の散乱強度の平均値を求めた。
【００６８】
２）センサによる模擬白水（濾液）の濁度情報の計測
(1)  ３０００ｍｌビーカーに前記の模擬白水（濾液）を１５００ｍｌ入れた。
(2)  上記(1)の液にセンサプローブを浸漬し、２５０ｒｐｍの攪拌下（流速１．３ｍ／ｓ）で、センサによる計測を行った。計測項目は散乱光の電気信号の最低値（以下「濁度情報（ｍＶ）」とする。）で、レーザ光を２分間隔で２００ｍ秒発光させ、１２０秒間の散乱強度の平均値を求めた。
【００６９】
３）センサによる濁度標準液の濁度情報の計測
(1)  ４０００ＮＴＵの濁度標準液ホルマジン（ＨＡＣＨ社製）を水道水で希釈し、５００ＮＴＵ、２５０ＮＴＵ、１００ＮＴＵ、５０ＮＴＵ、２５ＮＴＵの液を各１５００ｍｌ調製した。
(2)  ３０００ｍｌビーカーに上記(1)の各濁度の試料水を１５００ｍｌ入れた。
(3)  上記(2)の各試料水にセンサプローブを浸漬し、２５０ｒｐｍの攪拌下（流速１．３ｍ／ｓ）で、センサによる計測を行った。計測項目は散乱光の電気信号の最低値（以下「濁度情報（ｍＶ）」とする。）で、レーザ光を２分間隔で２００ｍ秒発光させ、１２０秒間の散乱強度の平均値を求めた。
【００７０】
（結果）
１）試験結果
表１に全試験データを示す。
図６に参考例１における薬剤添加率と濾液量との関係を示す。
図７に参考例１における薬剤添加率と模擬白水（濾液）のＳＳ濃度との関係を示す。
図８に実施例１における薬剤添加率とインレットスラリーの濁度情報との関係を示す。
図９に実施例１における薬剤添加率と模擬白水（濾液）の濁度情報との関係を示す。
表２及び図１０に、センサによる濁度標準液（ホルマジン）の濁度情報測定結果を示す。
【００７１】
【表１】
0004779762.tif 000002
【００７２】
【表２】
0004779762.tif 000003
【００７３】
２）本発明の有効性
これらの結果より明らかなように、センサ計測で得られる濁度情報は、標準濁度と明確な相関があり、濁度に対応した数値を示すものである。この結果をもって、インレットスラリー及び模擬白水（濾水試験の濾液）の濁度相当の計測にセンサが適用できることが確認できた。
【００７４】
この結果により、レーザー光散乱方式センサを用いて、本発明に従ってインレットスラリー及び白水について散乱光の電気信号の最低値の測定を行って、その結果を比較することにより、抄紙工程水に添加した歩留向上剤などの薬剤の効果を連続的にモニタリングでき、薬剤効果の迅速な監視及びその計測値を基にした薬注制御ができることが明らかであり、本発明によって、製紙工場でのトラブル回避に大きく貢献できることが示された。
【図面の簡単な説明】
【００７５】
【図１】実施の形態に係る製紙用薬剤の効果監視装置の概略構成を示す構成図である。
【図２】図１に示したレーザ光照射部と散乱光受光部の構成を示す拡大図である。
【図３】図２に示した遮蔽部材２２の斜視図である。
【図４】レーザ光照射部と散乱光受光部の他の構成例を示す拡大図である。
【図５】微小コロイド粒子の凝集に伴う、微小測定領域での散乱光強度の変化の様子を示す模式図である。
【図６】参考例１における薬剤添加率と濾液量との関係を示すグラフである。
【図７】参考例１における薬剤添加率と模擬白水（濾液）のＳＳ濃度との関係を示すグラフである。
【図８】実施例１における薬剤添加率とインレットスラリーの濁度情報との関係を示すグラフである。
【図９】実施例１における薬剤添加率と模擬白水（濾液）の濁度情報との関係を示すグラフである。
【図１０】センサによる濁度標準液（ホルマジン）の濁度情報測定結果を示すグラフである。
【符号の説明】
【００７６】
１  レーザ発振器
２  第１の光ファイバ
３  レーザ照射部
４  散乱光受光部
５  第２の光ファイバ
６  光電変換回路
７  検波回路
８  最低値検出回路
１１  ファンクションゼネレータ
１２  レーザダイオード
２０  計測槽
２２  遮蔽部材
２３  測定領域
２４  溝部
６１  フォトデテクター
６２  バンドパスフィルタ
６３  増幅器
【図１】
0004779762.tif 000004
【図２】
0004779762.tif 000005
【図３】
0004779762.tif 000006
【図４】
0004779762.tif 000007
【図５】
0004779762.tif 000008
【図６】
0004779762.tif 000009
【図７】
0004779762.tif 000010
【図８】
0004779762.tif 000011
【図９】
0004779762.tif 000012
【図１０】
0004779762.tif 000013